(57)【特許請求の範囲】
【請求項１】
第１の符号化データと、前記第１の符号化データとは異なる映像形式である第２の符号化データとを受信し、前記第１の符号化データと前記第２の符号化データとを分離して出力する受信回路と、
前記受信回路から供給される前記第１の符号化データをデコードし、第１の映像データと、第１の字幕データとを生成する第１のデコーダと、
前記受信回路から供給される前記第２の符号化データをデコードし、第２の映像データと、第２の字幕データとを生成する第２のデコーダと、
前記第１のデコーダで生成された第１の映像データを前記第２の映像データと同一の解像度に則った第３の映像データに変換する変換部と、
前記第２のデコーダで生成された第２の映像データを保持し、前記変換部での変換処理にかかる時間だけ遅延させるバッファと、
前記第１及び第２の字幕データを前記時間だけ遅延させ、前記第１の字幕データを前記解像度に則った第３の字幕データに変換する字幕変換部と、
前記第３の映像データに前記第３の字幕データを多重し、前記遅延された第２の映像データに前記遅延された第２の字幕データを多重する多重部と、
前記第３の字幕データが多重された前記第３の映像データを出力すると、前記第２の字幕データが多重された前記第２の映像データを出力する出力部と
を具備するマルチフォーマット出力装置。
【請求項２】
第１の符号化データと、前記第１の符号化データとは異なる映像形式である第２の符号化データとを受信し、前記第１の符号化データと前記第２の符号化データとを分離して出力する受信回路と、
前記受信回路から供給される前記第１の符号化データをデコードし、第１の映像データと、第１の字幕データとを生成する第１のデコーダと、
前記受信回路から供給される前記第２の符号化データをデコードし、第２の映像データと、第２の字幕データとを生成する第２のデコーダと、
前記第２のデコーダで生成された第２の映像データを前記第１の映像データと同一の解像度に則った第３の映像データに変換する変換部と、
前記第１のデコーダで生成された第１の映像データを保持し、前記変換部での変換処理にかかる時間だけ遅延させるバッファと、
前記第１及び第２の字幕データを前記時間だけ遅延させ、前記第２の字幕データを前記解像度に則った第３の字幕データに変換する字幕変換部と、
前記遅延された第１の映像データに前記遅延された第１の字幕データを多重し、前記第３の映像データに前記第３の字幕データを多重する多重部と、
前記第１の字幕データが多重された前記第１の映像データを出力すると、前記第３の字幕データが多重された前記第３の映像データを出力する出力部と
を具備するマルチフォーマット出力装置。
【請求項３】
第１の符号化データと、前記第１の符号化データとは異なる映像形式である第２の符号化データとを受信し、前記第１の符号化データと前記第２の符号化データとを分離して出力する受信回路と、
前記受信回路から供給される前記第２の符号化データを保持し、所定時間だけ遅延させるバッファと、
前記受信回路から供給される前記第１の符号化データをデコードし、第１の映像データと、第１の字幕データとを生成する第１のデコーダと、
前記バッファから出力される前記第２の符号化データをデコードし、第２の映像データと、第２の字幕データとを生成する第２のデコーダと、
前記第１のデコーダで生成された第１の映像データを前記第２の映像データと同一の解像度に則った第３の映像データに、前記時間をかけて変換する変換部と、
前記第１及び第２の字幕データを前記時間だけ遅延させ、前記第１の字幕データを前記解像度に則った第３の字幕データに変換する字幕変換部と、
前記第３の映像データに前記第３の字幕データを多重し、前記遅延された第２の映像データに前記遅延された第２の字幕データを多重する多重部と、
前記第３の字幕データが多重された前記第３の映像データを出力すると、前記第２の字幕データが多重された前記第２の映像データを出力する出力部と
を具備するマルチフォーマット出力装置。
【請求項４】
第１の符号化データと、前記第１の符号化データとは異なる映像形式である第２の符号化データとを受信し、前記第１の符号化データと前記第２の符号化データとを分離して出力する受信回路と、
前記受信回路から供給される前記第１の符号化データを保持し、所定時間だけ遅延させるバッファと、
前記バッファから出力される前記第１の符号化データをデコードし、第１の映像データと、第１の字幕データとを生成する第１のデコーダと、
前記受信回路から供給される前記第２の符号化データをデコードし、第２の映像データと、第２の字幕データとを生成する第２のデコーダと、
前記第２のデコーダで生成された第２の映像データを、前記第１の映像データと同一の解像度に則った第３の映像データに、前記時間をかけて変換する変換部と、
前記第１及び第２の字幕データを前記時間だけ遅延させ、前記第２の字幕データを前記解像度に則った第３の字幕データに変換する字幕変換部と、
前記遅延された第１の映像データに前記遅延された第１の字幕データを多重し、前記第３の映像データに前記第３の字幕データを多重する多重部と、
前記第１の字幕データが多重された前記第１の映像データを出力すると、前記第３の字幕データが多重された前記第３の映像データを出力する出力部と
を具備するマルチフォーマット出力装置。
【請求項５】
前記第１の映像データは、ＨＤ（High Definition）映像データであり、
前記第２の映像データは、ＳＤ（Standard Definition）映像データである請求項１乃至４のいずれかに記載のマルチフォーマット出力装置。
【請求項６】
前記第１の映像データは、１０８０ｉに準拠した第１のＨＤ映像データであり、
前記第２の映像データは、７２０ｐに準拠した第２のＨＤ映像データである請求項１乃至４のいずれかに記載のマルチフォーマット出力装置。
【請求項７】
第１の符号化データと、前記第１の符号化データとは異なる映像形式である第２の符号化データとを受信し、
前記第１の符号化データと前記第２の符号化データとを分離し、
前記分離した前記第１の符号化データをデコードし、第１の映像データと、第１の字幕データとを生成し、
前記分離した前記第２の符号化データをデコードし、第２の映像データと、第２の字幕データとを生成し、
前記生成した第１の映像データを前記第２の映像データと同一の解像度に則った第３の映像データに変換し、
前記生成した第２の映像データを保持し、前記変換処理にかかる時間だけ遅延させ、
前記第１及び第２の字幕データを前記時間だけ遅延させ、前記第１の字幕データを前記解像度に則った第３の字幕データに変換し、
前記第３の映像データに前記第３の字幕データを多重し、
前記遅延した第２の映像データに前記遅延した第２の字幕データを多重し、
前記第３の字幕データが多重された前記第３の映像データを出力すると、前記第２の字幕データが多重された前記第２の映像データを出力するマルチフォーマット出力装置の制御方法。
【請求項８】
第１の符号化データと、前記第１の符号化データとは異なる映像形式である第２の符号化データとを受信し、
前記第１の符号化データと前記第２の符号化データとを分離し、
前記分離した前記第１の符号化データをデコードし、第１の映像データと、第１の字幕データとを生成し、
前記分離した前記第２の符号化データをデコードし、第２の映像データと、第２の字幕データとを生成し、
前記生成した第２の映像データを前記第１の映像データと同一の解像度に則った第３の映像データに変換し、
前記生成した第１の映像データを保持し、前記変換処理にかかる時間だけ遅延させ、
前記第１及び第２の字幕データを前記時間だけ遅延させ、前記第２の字幕データを前記解像度に則った第３の字幕データに変換し、
前記遅延した第１の映像データに前記遅延した第１の字幕データを多重し、
前記第３の映像データに前記第３の字幕データを多重し、
前記第１の字幕データが多重された前記第１の映像データを出力すると、前記第３の字幕データが多重された前記第３の映像データを出力するマルチフォーマット出力装置の制御方法。
【発明の詳細な説明】
【技術分野】
【０００１】
本発明の実施形態は、解像度の異なる映像データが符号化された符号化データをデコードし、それぞれの解像度の映像データを互いに異なる出力チャンネルから出力するマルチフォーマット出力装置と、マルチフォーマット出力装置の制御方法とに関する。
【背景技術】
【０００２】
従来のマルチフォーマット出力装置は、ＳＤ（Standard Definition：標準解像度）フォーマットの符号化データが供給された場合、ＳＤ映像データへデコードした後、ＨＤ（High Definition：高解像度）映像データへアップコンバートする。これにより、マルチフォーマット出力装置は、ＳＤ映像データのフォーマットを、ＨＤフォーマットの符号化データをデコードしたＨＤ映像データと統一させる。マルチフォーマット出力装置は、出力フォーマットがＨＤ出力である場合には、ＨＤ映像データを出力し、出力フォーマットがＳＤ出力である場合には、ＨＤ映像データをダウンコンバートしＳＤ映像データとして出力する。
【０００３】
また、従来のマルチフォーマット出力装置は、ＳＤフォーマットの符号化データに付加されているＳＤ用の字幕データを、ＳＤ映像データのＨＤ映像データへのアップコンバートと共にＨＤ用の字幕データに変換する。これにより、マルチフォーマット出力装置は、ＳＤ用の字幕データのフォーマットを、ＨＤ用の字幕データと統一させる。マルチフォーマット出力装置は、出力フォーマットがＨＤ出力である場合には、ＨＤ用の字幕データをＨＤ映像データに多重し、出力フォーマットがＳＤ出力である場合には、ＨＤ用の字幕データをＳＤ用の字幕データに変換し、ＳＤ映像データに多重する。
【０００４】
しかしながら、ＳＤフォーマットの符号化データをＳＤフォーマットで出力しようとする場合、従来のマルチフォーマット出力装置は、ＳＤ映像データをアップコンバートした後にダウンコンバートする必要がある。そのため、ＳＤ映像データの画質が劣化するおそれがある。また、ＳＤフォーマットの符号化データをＳＤフォーマットで出力しようとする場合、マルチフォーマット出力装置は、ＳＤ用の字幕データをＨＤ用に変換した後にＳＤ用に変換する必要がある。そのため、処理が複雑になるという問題がある。
【先行技術文献】
【特許文献】
【０００５】
【特許文献１】特開２０１０−７４５５９号公報
【発明の概要】
【発明が解決しようとする課題】
【０００６】
以上のように、従来のマルチフォーマット出力装置は、ＳＤ映像データ及びＳＤ用の字幕データをＳＤフォーマットで出力する場合、それぞれ２回ずつ変換するようにしているため、ＳＤ映像データの画質が劣化するおそれ及び処理が複雑化するおそれがある。
【０００７】
そこで、目的は、複雑な処理を経ず、かつ、画質の劣化がなく、ＨＤ用の字幕付きのＨＤ映像及び／又はＳＤ用の字幕付きのＳＤ映像を出力することが可能なマルチフォーマット出力装置と、マルチフォーマット出力装置の制御方法とを提供することにある。
【課題を解決するための手段】
【０００８】
実施形態によれば、マルチフォーマット出力装置は、受信回路、第１及び第２のデコーダ、変換部、バッファ、字幕変換部、多重部及び出力部を具備する。受信回路は、第１の符号化データと、前記第１の符号化データとは異なる映像形式である第２の符号化データとを受信し、前記第１の符号化データと前記第２の符号化データとを分離して出力する。第１のデコーダは、前記受信回路から供給される前記第１の符号化データをデコードし、第１の映像データと、第１の字幕データとを生成する。第２のデコーダは、前記受信回路から供給される前記第２の符号化データをデコードし、第２の映像データと、第２の字幕データとを生成する。変換部は、前記第１のデコーダで生成された第１の映像データを前記第２の映像データと同一の解像度に則った第３の映像データに変換する。バッファは、前記第２のデコーダで生成された第２の映像データを保持し、前記変換部での変換処理にかかる時間だけ遅延させる。字幕変換部は、前記第１及び第２の字幕データを前記時間だけ遅延させ、前記第１の字幕データを前記解像度に則った第３の字幕データに変換する。多重部は、前記第３の映像データに前記第３の字幕データを多重し、前記遅延された第２の映像データに前記遅延された第２の字幕データを多重する。出力部は、前記第３の字幕データが多重された前記第３の映像データを出力すると、前記第２の字幕データが多重された前記第２の映像データを出力する。
【図面の簡単な説明】
【０００９】
【図１】本実施形態に係るマルチフォーマット出力装置を備えるビデオサーバが設置される放送局の機能構成を示す図である。
【図２】図１に示すマルチフォーマット出力装置の機能構成を示す図である。
【図３】図１に示すマルチフォーマット出力装置がＨＤ映像データと、ＳＤ映像データとを出力する際の制御部の処理を示すフローチャートである。
【図４】ＨＤ映像データが図２に示す第１の出力部から出力される経過を説明する図である。
【図５】ＳＤ映像データが図２に示す第２の出力部から出力される経過を説明する図である。
【図６】図２に示すマルチフォーマット出力装置の機能構成のその他の例を示す図である。
【発明を実施するための形態】
【００１０】
以下、実施の形態について、図面を参照して説明する。
【００１１】
図１は、本実施形態に係るマルチフォーマット出力装置１０を備えるビデオサーバ１００が設置される放送局の機能構成の例を示す図である。図１に示すように、放送局内には、ビデオサーバ１００、自動番組送出制御部（ＡＰＣ）２００及び局内時計２０１が設置される。ＡＰＣ２００は、放送スケジュールに基づいて作成されたプレイリストを参照し、局内時計２０１により示される時刻が、プレイリストに記載される時刻に達すると、その時刻に再生すべき番組素材を再生するように、ビデオサーバ１００に対して指示を出す。
【００１２】
ビデオサーバ１００は、マルチフォーマット出力装置１０、記憶装置２０及び再生制御部３０を備える。マルチフォーマット出力装置１０は、記憶装置２０と、例えば、イーサネット（登録商標）により接続する。
【００１３】
再生制御部３０は、ＡＰＣ２００からの指示に従い、指定された番組素材を所定の出力先へ出力するように、マルチフォーマット出力装置１０に対して再生制御を行う。
【００１４】
マルチフォーマット出力装置１０は、再生制御部３０からの再生制御に従い、記憶装置２０に記憶されているＳＤ（Standard Definition）フォーマットの符号化データ及び／又はＨＤ（High Definition）フォーマットの符号化データを読み出し、指定された出力先へ番組素材を出力するように、マルチフォーマット出力装置１０内の構成要素を制御する。本実施形態において、ＳＤフォーマットの符号化データとは、ＳＤ映像データと、ＳＤ映像データに付加されるＳＤ用字幕データとが予め設定された符号化方式によりエンコードされたものである。ＨＤフォーマットの符号化データとは、ＨＤ映像データと、ＨＤ映像データに付加されるＨＤ用字幕データとが予め設定された符号化方式によりエンコードされたものである。
【００１５】
図２は、本実施形態に係るマルチフォーマット出力装置１０の機能構成を示すブロック図である。図２に示すマルチフォーマット出力装置１０は、受信回路１１、第１のデコーダ１２−１、第２のデコーダ１２−２、第１のバッファ１３−１、第２のバッファ１３−２、字幕変換部１４、第１の切替部１５−１、第２の切替部１５−２、変換部１６、第１の多重部１７−１、第２の多重部１７−２、第１の出力部１８−１、第２の出力部１８−２及び制御部１９を備える。
【００１６】
受信回路１１は、記憶装置２０から供給されるＳＤフォーマットの符号化データ及びＨＤフォーマットの符号化データに対して受信処理を施した後、受信処理後のＳＤフォーマットの符号化データ及びＨＤフォーマットの符号化データを解像度に応じて選択的に第１又は第２のデコーダ１２−１，１２−２へ出力する。例えば、同じ解像度の符号化データが連続して供給される場合、受信回路１１は、供給される符号化データを同一のデコーダへ出力する。また、異なる解像度の符号化データが連続して供給される場合、受信回路１１は、各符号化データを異なるデコーダへ出力する。
【００１７】
第１のデコーダ１２−１は、受信回路１１からＳＤフォーマットの符号化データが供給される場合、ＳＤフォーマットの符号化データを、供給されたＳＤフォーマットの符号化データの符号化方式に応じた方式でデコードし、ＳＤ映像データ及びＳＤ用字幕データを生成する。また、第１のデコーダ１２−１は、受信回路１１からＨＤフォーマットの符号化データが供給される場合、ＨＤフォーマットの符号化データを、供給されたＨＤフォーマットの符号化データの符号化方式に応じた方式でデコードし、ＨＤ映像データ及びＨＤ用字幕データを生成する。第１のデコーダ１２−１は、デコード処理により生成したＳＤ映像データ又はＨＤ映像データを第１のバッファ１３−１へ出力し、ＳＤ用字幕データ又はＨＤ用字幕データを字幕変換部１４へ出力する。
【００１８】
第２のデコーダ１２−２は、第１のデコーダ１２−１と同様に、受信回路１１から供給されるＳＤフォーマット又はＨＤフォーマットの符号化データをデコードし、ＳＤ映像データ又はＨＤ映像データと、ＳＤ用字幕データ又はＨＤ用字幕データとを生成する。第２のデコーダ１２−２は、デコード処理により生成したＳＤ映像データ又はＨＤ映像データを第２のバッファ１３−２へ出力し、ＳＤ用字幕データ又はＨＤ用字幕データを字幕変換部１４へ出力する。
【００１９】
第１のバッファ１３−１は、第１のデコーダ１２−１からＳＤ映像データ又はＨＤ映像データが供給される。第１のバッファ１３−１は、制御部１９からの第１の読出し制御に従ったタイミングで、供給されたＳＤ映像データ又はＨＤ映像データを第１及び第２の切替部１５−１，１５−２へ出力する。このとき、第１のバッファ１３−１は、ＳＤ映像データ又はＨＤ映像データの第１の切替部１５−１への出力を、ＳＤ映像データ又はＨＤ映像データの第２の切替部１５−２への出力よりも、変換部１６での変換処理にかかる時間だけ遅らせる。
【００２０】
第２のバッファ１３−２は、第２のデコーダ１２−２からＳＤ映像データ又はＨＤ映像データが供給される。第２のバッファ１３−２は、制御部１９からの第２の読出し制御に従ったタイミングで、供給されるＳＤ映像データ又はＨＤ映像データを第１及び第２の切替部１５−１，１５−２へ出力する。このとき、第２のバッファ１３−２は、ＳＤ映像データ又はＨＤ映像データの第１の切替部１５−１への出力を、ＳＤ映像データ又はＨＤ映像データの第２の切替部１５−２への出力よりも、変換部１６での変換処理にかかる時間だけ遅らせる。
【００２１】
字幕変換部１４は、第１のデコーダ１２−１から供給されるＳＤ用字幕データ又はＨＤ用字幕データを受け取り、第２のデコーダ１２−２から供給されるＨＤ用字幕データ又はＳＤ用字幕データを受け取る。
【００２２】
字幕変換部１４は、制御部１９からの字幕制御に従い、受け取ったＳＤ用字幕データを、変換部１６での変換処理にかかる時間だけ遅らせて第１の多重部１７−１へ出力する。また、字幕変換部１４は、制御部１９からの字幕制御に従い、受け取ったＳＤ用字幕データをＨＤ用字幕データに変換し、変換部１６での変換処理にかかる時間だけ遅らせて、第２の多重部１７−２へ出力する。また、字幕変換部１４は、制御部１９からの字幕制御に従い、受け取ったＨＤ用字幕データを、変換部１６での変換処理にかかる時間だけ遅らせて、第１の多重部１７−１へ出力する。また、字幕変換部１４は、制御部１９からの字幕制御に従い、受け取ったＨＤ用字幕データをＳＤ用字幕データに変換し、変換部１６での変換処理にかかる時間だけ遅らせて、第２の多重部１７−２へ出力する。
【００２３】
第１の切替部１５−１は、制御部１９からの第１の切替制御に従い、第１の多重部１７−１へ出力するデータを、第１のバッファ１３−１から供給されるＳＤ映像データから、第２のバッファ１３−２から供給されるＨＤ映像データへ切り替える。また、第１の切替部１５−１は、制御部１９からの第１の切替制御に従い、第１の多重部１７−１へ出力するデータを、第２のバッファ１３−２から供給されるＨＤ映像データから、第１のバッファ１３−１から供給されるＳＤ映像データへ切り替える。
【００２４】
また、第１の切替部１５−１は、制御部１９からの第１の切替制御に従い、第１の多重部１７−１へ出力するデータを、第１のバッファ１３−１から供給されるＨＤ映像データから、第２のバッファ１３−２から供給されるＳＤ映像データへ切り替える。また、第１の切替部１５−１は、制御部１９からの第１の切替制御に従い、第１の多重部１７−１へ出力するデータを、第２のバッファ１３−２から供給されるＳＤ映像データから、第１のバッファ１３−１から供給されるＨＤ映像データへ切り替える。
【００２５】
第２の切替部１５−２は、制御部１９からの第２の切替制御に従い、変換部１６へ出力するデータを、第１のバッファ１３−１から供給されるＳＤ映像データから、第２のバッファ１３−２から供給されるＨＤ映像データへ切り替える。また、第２の切替部１５−２は、制御部１９からの第２の切替制御に従い、変換部１６へ出力するデータを、第２のバッファ１３−２から供給されるＨＤ映像データから、第１のバッファ１３−１から供給されるＳＤ映像データへ切り替える。
【００２６】
また、第２の切替部１５−２は、制御部１９からの第２の切替制御に従い、変換部１６へ出力するデータを、第１のバッファ１３−１から供給されるＨＤ映像データから、第２のバッファ１３−２から供給されるＳＤ映像データへ切り替える。また、第２の切替部１５−２は、制御部１９からの第２の切替制御に従い、変換部１６へ出力するデータを、第２のバッファ１３−２から供給されるＳＤ映像データから、第１のバッファ１３−１から供給されるＨＤ映像データへ切り替える。
【００２７】
変換部１６は、第２の切替部１５−２からＳＤ映像データが供給されると、制御部１９からの変換制御に従い、供給されたＳＤ映像データをＨＤ映像データへアップコンバートする。変換部１６は、アップコンバート後のＨＤ映像データを第２の多重部１７−２へ出力する。変換部１６は、第２の切替部１５−２からＨＤ映像データが供給されると、制御部１９からの変換制御に従い、供給されたＨＤ映像データをＳＤ映像データへダウンコンバートする。変換部１６は、ダウンコンバート後のＳＤ映像データを第２の多重部１７−２へ出力する。
【００２８】
第１の多重部１７−１は、第１の切替部１５−１からＳＤ映像データが供給される場合、供給されるＳＤ映像データに、字幕変換部１４から供給されるＳＤ用字幕データをアンシラリデータとして多重する。第１の多重部１７−１は、ＳＤ用字幕データを多重したＳＤ映像データを第１及び第２の出力部１８−１，１８−２へ出力する。また、第１の多重部１７−１は、第１の切替部１５−１からＨＤ映像データが供給される場合、供給されるＨＤ映像データに、字幕変換部１４から供給されるＨＤ用字幕データをアンシラリデータとして多重する。第１の多重部１７−１は、ＨＤ用字幕データを多重したＨＤ映像データを第１及び第２の出力部１８−１，１８−２へ出力する。
【００２９】
第２の多重部１７−２は、変換部１６からＳＤ映像データが供給される場合、供給されるＳＤ映像データに、字幕変換部１４から供給されるＳＤ用字幕データをアンシラリデータとして多重する。第２の多重部１７−２は、ＳＤ用字幕データを多重したＳＤ映像データを第１及び第２の出力部１８−１，１８−２へ出力する。また、第２の多重部１７−２は、変換部１６からＨＤ映像データが供給される場合、供給されるＨＤ映像データに、字幕変換部１４から供給されるＨＤ用字幕データをアンシラリデータとして多重する。第２の多重部１７−２は、ＨＤ用字幕データを多重したＨＤ映像データを第１及び第２の出力部１８−１，１８−２へ出力する。
【００３０】
第１の出力部１８−１は、第１の出力チャンネルと接続する。出力チャンネルがＳＤ映像データ及びＨＤ映像データのいずれかを出力するかは予め設定されている。本実施形態では、第１の出力チャンネルがＨＤ映像データを出力する場合を例に説明する。
【００３１】
第１の出力部１８−１は、第１の多重部１７−１からＳＤ映像データを受け取る場合、第２の多重部１７−２からはＨＤ映像データを受け取る。また、第１の出力部１８−１は、第１の多重部１７−１からＨＤ映像データを受け取る場合、第２の多重部１７−２からはＳＤ映像データを受け取る。第１の出力部１８−１は、制御部１９からの第１の出力制御に従い、ＨＤ映像データを出力するように接続を切り替える。これにより、第１の出力チャンネルには、ＨＤ映像データがシームレスに出力されることとなる。
【００３２】
第２の出力部１８−２は、第２の出力チャンネルと接続する。本実施形態では、第２の出力チャンネルがＳＤ映像データを出力する場合を例に説明する。
【００３３】
第２の出力部１８−２は、第１の多重部１７−１からＨＤ映像データを受け取る場合、第２の多重部１７−２からはＳＤ映像データを受け取る。また、第２の出力部１８−２は、第１の多重部１７−１からＳＤ映像データを受け取る場合、第２の多重部１７−２からはＨＤ映像データを受け取る。第２の出力部１８−２は、制御部１９からの第２の出力制御に従い、ＳＤ映像データを出力するように接続を切り替える。これにより、第２の出力チャンネルには、ＳＤ映像データがシームレスに出力されることとなる。
【００３４】
制御部１９は、例えばマイクロプロセッサからなるＣＰＵ（Central Processing Unit）を備えたもので、再生制御部３０からの再生制御に従い、記憶装置２０からＳＤフォーマット又はＨＤフォーマットの符号化データを読み出すと共に、第１のバッファ１３−１、第２のバッファ１３−２、字幕変換部１４、第１の切替部１５−１、第２の切替部１５−２、変換部１６、第１の出力部１８−１及び第２の出力部１８−２の制御を行う。
【００３５】
次に、以上のように構成されたマルチフォーマット出力装置１０が第１の出力チャンネルからＨＤ映像データを出力し、第２の出力チャンネルからＳＤ映像データを出力する際の制御部１９の処理を説明する。図３は、マルチフォーマット出力装置１０がＨＤ映像データと、ＳＤ映像データとを出力する際の制御部１９の処理を示すフローチャートである。図３では、ＨＤフォーマット及びＳＤフォーマットの符号化データが記憶装置２０から読み出され、受信回路１１から第１のデコーダ１２−１へＨＤフォーマットの符号化データが供給され、受信回路１１から第２のデコーダ１２−２へＳＤフォーマットの符号化データが供給される場合を例に説明する。図４はＨＤ映像データが第１の出力部１８−１から出力される経過を説明する図であり、図５はＳＤ映像データが第２の出力部１８−２から出力される経過を説明する図である。
【００３６】
まず、制御部１９は、再生制御部３０から再生制御を受けると（ステップＳ３１）、記憶装置２０に記憶されているＨＤフォーマットの符号化データ及びＳＤフォーマットの符号化データを読み出す（ステップＳ３２）。
【００３７】
受信回路１１は、ＨＤフォーマットの符号化データを第１のデコーダ１２−１へ出力し、ＳＤフォーマットの符号化データを第２のデコーダ１２−２へ出力する。第１のデコーダ１２−１は、ＨＤフォーマットの符号化データをＨＤ映像データへデコードし、１フレーム目から３フレーム目までのＨＤ映像データを第１のバッファ１３−１へ出力する。
【００３８】
制御部１９は、１フレーム目において、第１のバッファ１３−１に対して、第１のデコーダ１２−１から供給されるＨＤ映像データを第２の切替部１５−２へ出力するように第１の読出し制御を行う。制御部１９は、第２の切替部１５−２に対して、第１のバッファ１３−１から供給されるＨＤ映像データを変換部１６へ出力するように第２の切替制御を行う。制御部１９は、変換部１６に対して、第２の切替部１５−２から供給されるＨＤ映像データのダウンコンバートを開始するように変換制御を行う（ステップＳ３３）。変換部１６は、ダウンコンバートに２フレームかかり、ダウンコンバート後のＳＤ映像データを３フレーム目から第１及び第２の出力部１８−１，１８−２へ出力する。
【００３９】
制御部１９は、３フレーム目において、第１のバッファ１３−１に対して、第１のデコーダ１２−１から供給されるＨＤ映像データを第１の切替部１５−１へ出力するように、第１の読出し制御を行う。制御部１９は、第１の切替部１５−１に対して、第１のバッファ１３−１から供給されるＨＤ映像データを第１の多重部１７−１へ出力するように第１の切替制御を行う。制御部１９は、字幕変換部１４に対して、第１のデコーダ１２−１から供給されるＨＤ用字幕データを第１の多重部１７−１へ出力するように字幕制御を行う。制御部１９は、字幕変換部１４に対して、第１のデコーダ１２−１から供給されるＨＤ用字幕データをＳＤ用字幕データに変換し、第２の多重部１７−２へ出力するように字幕制御を行う。制御部１９は、第１の出力部１８−１に対して、第１の多重部１７−１から供給されるＨＤ用字幕データが多重されたＨＤ映像データを出力するように第１の出力制御を行う。制御部１９は、第２の出力部１８−２に対して、第２の多重部１７−２から供給されるＳＤ用字幕データが多重されたＳＤ映像データを出力するように第２の出力制御を行う（ステップＳ３４）。
【００４０】
第２のデコーダ１２−２は、４フレーム目から９フレーム目までにおいて、受信回路１１から供給されるＳＤフォーマットの符号化データをＳＤ映像データへデコードし、デコードしたＳＤ映像データを第２のバッファ１３−２へ出力する。
【００４１】
制御部１９は、４フレーム目において、第２のバッファ１３−２に対して、第２のデコーダ１２−２から供給されるＳＤ映像データを第２の切替部１５−２へ出力するように第２の読出し制御を行う。制御部１９は、第２の切替部１５−２に対して、第２のバッファ１３−２から供給されるＳＤ映像データを変換部１６へ出力するように第２の切替制御を行う。制御部１９は、変換部１６に対して、第２の切替部１５−２から供給されるＳＤ映像データのアップコンバートを開始するように変換制御を行う（ステップＳ３５）。変換部１６は、アップコンバートに２フレームかかり、アップコンバート後のＨＤ映像データを６フレーム目から第１及び第２の出力部１８−１，１８−２へ出力する。
【００４２】
制御部１９は、６フレーム目において、第２のバッファ１３−２に対して、第２のデコーダ１２−２から供給されるＳＤ映像データを第１の切替部１５−１へ出力するように、第２の読出し制御を行う。制御部１９は、第１の切替部１５−１に対して、第２のバッファ１３−２から供給されるＳＤ映像データを第１の多重部１７−１へ出力するように第１の切替制御を行う。制御部１９は、字幕変換部１４に対して、第２のデコーダ１２−２から供給されるＳＤ用字幕データを第１の多重部１７−１へ出力するように字幕制御を行う。制御部１９は、字幕変換部１４に対して、第２のデコーダ１２−２から供給されるＳＤ用字幕データをＨＤ用字幕データに変換し、第２の多重部１７−２へ出力するように字幕制御を行う。制御部１９は、第１の出力部１８−１に対して、第２の多重部１７−２から供給されるＨＤ用字幕データが多重されたＨＤ映像データを出力するように第１の出力制御を行う。制御部１９は、第２の出力部１８−２に対して、第１の多重部１７−１から供給されるＳＤ用字幕データが多重されたＳＤ映像データを出力するように第２の出力制御を行う（ステップＳ３６）。
【００４３】
図３に示す制御によれば、制御部１９は、第１の出力部１８−１において、ＨＤフォーマットの符号化データ由来のＨＤ映像データと、ＳＤフォーマットの符号化データ由来のＨＤ映像データとを５フレーム目と６フレーム目との間でシームレスに繋げることが可能となる（図４参照）。また、制御部１９は、第２の出力部１８−２において、ＨＤフォーマットの符号化データ由来のＳＤ映像データと、ＳＤフォーマットの符号化データ由来のＳＤ映像データとを５フレーム目と６フレーム目との間でシームレスに繋げることが可能となる（図５参照）。
【００４４】
なお、図３では、第１の出力チャンネルへＨＤ映像データを出力すると同時に、第２の出力チャンネルへＳＤ映像データを出力する場合を例に説明したが、これに限定される訳ではない。再生制御部３０からの再生制御によっては、制御部１９は、第１の出力チャンネルのみへＨＤ映像データを出力するようにしても構わない。また、再生制御部３０からの再生制御によっては、制御部１９は、第２の出力チャンネルのみへＳＤ映像データを出力するようにしても構わない。
【００４５】
以上のように、本実施形態では、制御部１９は、第１のバッファ１３−１から第１の切替部１５−１へ出力するデータを、第１のバッファ１３−１から第２の切替部１５−２へ出力するデータよりも、変換部１６での処理にかかる時間だけ遅延させるようにする。そして、制御部１９は、第１のデコーダ１２−１から供給される字幕データを必要に応じて変換し、変換部１６での処理にかかる時間だけ遅延させて第１及び第２の多重部１７−１，１７−２へ出力するようにしている。また、制御部１９は、第２のバッファ１３−２から第１の切替部１５−１へ出力するデータを、第２のバッファ１３−２から第２の切替部１５−２へ出力するデータよりも、変換部１６での処理にかかる時間だけ遅延させるようにする。そして、制御部１９は、第２のデコーダ１２−２から供給される字幕データを必要に応じて変換し、変換部１６での処理にかかる時間だけ遅延させて第１及び第２の多重部１７−１，１７−２へ出力するようにしている。これにより、マルチフォーマット出力装置１０は、アップコンバート及びダウンコンバートによる信号の遅延を解消することが可能であり、字幕データの変換処理が１回で済むため、従来必要であった複雑な制御が不要となる。また、マルチフォーマット出力装置１０は、ＳＤ映像データを出力する場合であっても、ＳＤ映像データの変換処理は１回で済むため、ＳＤ映像データの劣化を抑えることが可能となる。
【００４６】
したがって、本実施形態に係るマルチフォーマット出力装置によれば、複雑な処理を経ず、かつ、画質の劣化がなく、ＨＤ用の字幕付きのＨＤ映像及び／又はＳＤ用の字幕付きのＳＤ映像を出力することができる。
【００４７】
なお、上記実施形態では、変換部１６がＳＤ映像データをＨＤ映像データへ変換するアップコンバート、及び、ＨＤ映像データをＳＤ映像データへ変換するダウンコンバートのいずれかを実行する場合を例に説明したが、変換部１６は、１０８０ｉに準拠する第１のＨＤ映像データを、７２０ｐに準拠する第２のＨＤ映像データへ変換し、又は、第２のＨＤ映像データを第１のＨＤ映像データへ変換するクロスコンバートを実行するようにしても構わない。例えば、第１の出力チャンネルから第１のＨＤ映像データを出力し、第２の出力チャンネルから第２のＨＤ映像データを出力する場合、制御部１９は、第１及び第２のバッファ１３−１，１３−２に対し、第１の切替部１５−１への映像データの出力を、クロスコンバートにかかる時間だけ遅らせるように第１及び第２の読出し制御をする。また、制御部１９は、字幕変換部１４に対し、第１及び第２のＨＤ用字幕データの出力を、クロスコンバートにかかる時間だけ遅らせるように字幕制御をする。
【００４８】
また、本実施形態では、マルチフォーマット出力装置１０は、図２に示す機能構成を有する場合を例に説明したが、図６に示す機能構成をしていても構わない。すなわち、第１及び第２のバッファ１３−１，１３−２に先に格納してから、第１及び第２のデコーダ１２−１，１２−２で、符号化データをデコードするようにしてもよい。
【００４９】
また、本実施形態では、第１及び第２の出力部１８−１，１８−２がそれぞれ第１及び第２の出力チャンネルと接続されている場合を例に説明したが、これに限定される訳ではない。例えば、マルチフォーマット出力装置１０は、７２０ｐに準拠した第２のＨＤ映像データを出力するための第３の出力チャンネルと接続する第３の出力部１８−３をさらに具備していても構わない。
【００５０】
また、上記各実施形態では、マルチフォーマット出力装置１０が２つの系統を有する場合を例に説明したが、これに限定される訳ではない。例えば、マルチフォーマット出力装置１０は、２つ以上の系統を具備する場合であっても同様に実施可能である。
【００５１】
また、上記各実施形態では、マルチフォーマット出力装置１０が一つの変換部１６を具備する場合を例に説明したが、変換部を二つ以上具備している場合であっても同様に実施可能である。
【００５２】
また、本実施形態のマルチ映像再生装置はビデオサーバへの採用に限定されるものではなく、複数のフォーマットの映像信号の相互変換出力が要求されるシステムならば、同様に実施可能である。
【００５３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１０…マルチ映像出力装置、１１…受信回路、１２−１…第１のデコーダ、１２−２…第２のデコーダ、１３−１…第１のバッファ、１３−２…第２のバッファ、１４…字幕切替部、１５−１…第１の切替部、１５−２…第２の切替部、１６…変換部、１７−１…第１の多重部、１７−２…第２の多重部、１８−１…第１の出力部、１８−２…第２の出力部、１９…制御部、２０…記憶装置、３０…再生制御部、１００…ビデオサーバ、２００…ＡＰＣ、２０１…局内時計
【図１】
0005509284.tif 000002
【図２】
0005509284.tif 000003
【図３】
0005509284.tif 000004
【図４】
0005509284.tif 000005
【図５】
0005509284.tif 000006
【図６】
0005509284.tif 000007